(57)【要約】【課題】不用意に開蓋されることを抑制でき、且つ、必要な時には開蓋しやすい包装用容器を実現する。【解決手段】包装用容器（１）は、平面視矩形状の容器本体と蓋体（５）とを備える。本体摘み部と蓋体摘み部（５６）とが重ね合わされる開蓋領域（１１）が、四隅に設けられている。本体逆テーパー部と蓋体逆テーパー部（５５）とが係合してなる逆テーパー係合部（１５）が、開蓋領域（１１）に設けられる。開蓋領域（１１）における本体スカート部及び蓋体スカート部（５４）が、平面視で内向きに湾曲するように形成されている。逆テーパー係合部（１５）の係合深さが、開蓋領域（１１）中の本体スカート部及び蓋体スカート部（５４）が湾曲する部位の位置に応じて異なる。【選択図】図９
2020196526.tif 000002
【特許請求の範囲】
【請求項１】
容器本体と蓋体とを備え、シート成形によって形成される包装用容器であって、
前記容器本体及び前記蓋体が平面視矩形状に形成され、
前記容器本体は、底面部と、前記底面部から上方に延びる本体周壁部と、前記本体周壁部から外側に延びる本体フランジ部と、前記本体フランジ部よりも周縁側において下方に延びる本体スカート部と、前記本体スカート部に設けられた本体逆テーパー部と、前記本体フランジ部よりも外側に突出する突出片からなる本体摘み部と、を有し、
前記蓋体は、天面部と、前記天面部から下方に延びる蓋体周壁部と、前記蓋体周壁部から外側に延びる蓋体フランジ部と、前記蓋体フランジ部よりも周縁側において下方に延びる蓋体スカート部と、前記蓋体スカート部に設けられて前記本体逆テーパー部に係合する蓋体逆テーパー部と、前記蓋体フランジ部よりも外側に突出する突出片からなる蓋体摘み部と、を有し、
矩形状の前記容器本体及び前記蓋体の四隅に、前記本体摘み部と前記蓋体摘み部とが対応する開蓋領域が設けられ、
前記本体逆テーパー部と前記蓋体逆テーパー部とが係合してなる逆テーパー係合部が、全ての前記開蓋領域に設けられ、
前記開蓋領域における前記本体スカート部は、平面視で内向きに湾曲するように形成され、
前記開蓋領域における前記蓋体スカート部は、前記開蓋領域における前記本体スカート部の形状に応じて、平面視で内向きに湾曲するように形成され、
前記逆テーパー係合部の係合深さが、前記開蓋領域中の前記本体スカート部及び前記蓋体スカート部が湾曲する部位の位置に応じて異なる包装用容器。
【請求項２】
前記逆テーパー係合部の係合深さが、前記湾曲する部位の中央部に比べて両端部において深い請求項１に記載の包装用容器。
【請求項３】
前記逆テーパー係合部の係合深さが、前記湾曲する部位の中央部においてゼロであり、前記中央部から両端部に到るまでの位置にある中間点に向かうに従って次第に深くなる請求項２に記載の包装用容器。
【請求項４】
前記逆テーパー係合部の係合深さが、前記中間点から両端部に向かうに従って次第に浅くなる請求項３に記載の包装用容器。
【発明の詳細な説明】
【技術分野】
【０００１】
本発明は、包装用容器に関する。
【背景技術】
【０００２】
例えば弁当や惣菜等の食品を包装するために、包装用容器が用いられている。このような包装用容器は、多くの場合、シート成形によって形成される。このようなシート成形の包装用容器の一例が、特開２００１−１３９０４５号公報（特許文献１）に開示されている。特許文献１の包装用容器〔１０〕は、容器本体〔１１〕と、当該容器本体〔１１〕に嵌合する蓋体〔１２〕とを備えている。
【０００３】
容器本体〔１１〕の周縁には本体側内嵌合部〔１５〕が形成されており、蓋体〔１２〕の周縁には蓋体側内嵌合部〔１６〕が形成されている。本体側内嵌合部〔１５〕及び蓋体側内嵌合部〔１６〕は、いずれも、上方に向かうに従って容器〔１０〕の内側に傾斜するテーパー状となっている。そして、テーパー状の本体側内嵌合部〔１５〕と蓋体側内嵌合部〔１６〕とが当接し合うことで、容器本体〔１１〕と蓋体〔１２〕とが嵌合するように構成されている。このように、テーパー状の嵌合部を有する包装用容器では、容器本体と蓋体との強固な嵌合を実現でき、例えば包装用容器の搬送時や陳列時等に、蓋体が不用意に開いてしまうのを抑制することができる。
【０００４】
しかし、その一方で、容器本体と蓋体との嵌合が強固であるが故に、必要な時に開蓋しにくいという課題があった。
【先行技術文献】
【特許文献】
【０００５】
【特許文献１】特開２００１−１３９０４５号公報
【発明の概要】
【発明が解決しようとする課題】
【０００６】
不用意に開蓋されることを抑制でき、且つ、必要な時には開蓋しやすい包装用容器の実現が望まれる。
【課題を解決するための手段】
【０００７】
本発明に係る包装用容器は、
容器本体と蓋体とを備え、シート成形によって形成される包装用容器であって、
前記容器本体及び前記蓋体が平面視矩形状に形成され、
前記容器本体は、底面部と、前記底面部から上方に延びる本体周壁部と、前記本体周壁部から外側に延びる本体フランジ部と、前記本体フランジ部よりも周縁側において下方に延びる本体スカート部と、前記本体スカート部に設けられた本体逆テーパー部と、前記本体フランジ部よりも外側に突出する突出片からなる本体摘み部と、を有し、
前記蓋体は、天面部と、前記天面部から下方に延びる蓋体周壁部と、前記蓋体周壁部から外側に延びる蓋体フランジ部と、前記蓋体フランジ部よりも周縁側において下方に延びる蓋体スカート部と、前記蓋体スカート部に設けられて前記本体逆テーパー部に係合する蓋体逆テーパー部と、前記蓋体フランジ部よりも外側に突出する突出片からなる蓋体摘み部と、を有し、
矩形状の前記容器本体及び前記蓋体の四隅に、前記本体摘み部と前記蓋体摘み部とが対応する開蓋領域が設けられ、
前記本体逆テーパー部と前記蓋体逆テーパー部とが係合してなる逆テーパー係合部が、全ての前記開蓋領域に設けられ、
前記開蓋領域における前記本体スカート部は、平面視で内向きに湾曲するように形成され、
前記開蓋領域における前記蓋体スカート部は、前記開蓋領域における前記本体スカート部の形状に応じて、平面視で内向きに湾曲するように形成され、
前記逆テーパー係合部の係合深さが、前記開蓋領域中の前記本体スカート部及び前記蓋体スカート部が湾曲する部位の位置に応じて異なる。
【０００８】
この構成によれば、全ての開蓋領域に設けられる逆テーパー係合部において本体逆テーパー部と蓋体逆テーパー部とが係合することにより、容器本体と蓋体とが強固に嵌合する。開蓋領域では、本体摘み部と前記蓋体摘み部とが対応する位置関係であるため、蓋体摘み部には手指等の他物が引っかかりにくい。よって、例えば包装用容器の搬送時や陳列時等に、蓋体が不用意に開いてしまうのを抑制することができる。一方、蓋体摘み部は蓋体フランジ部よりも外側に突出する突出片からなっているため、開蓋時には蓋体摘み部を摘まみながら開蓋しやすい。そして、そのような蓋体摘み部が全ての開蓋領域に配置されているため、容器本体と蓋体との強固な嵌合と必要時における開蓋のしやすさとが両立されている。さらに、逆テーパー係合部の係合深さが開蓋領域中の本体スカート部及び蓋体スカート部が湾曲する部位の位置に応じて異なるため、容器本体と蓋体との嵌合力の調整を容易に行うことができる。これらが相俟って、不用意に開蓋されることを抑制でき、且つ、必要な時には開蓋しやすい包装用容器を実現することができる。
【０００９】
本発明のさらなる特徴と利点は、図面を参照して記述する以下の例示的かつ非限定的な実施形態の説明によってより明確になるであろう。
【図面の簡単な説明】
【００１０】
【図１】包装用容器の正面図
【図２】包装用容器の側面図
【図３】包装用容器の平面図
【図４】容器本体の平面図
【図５】図３におけるＶ−Ｖ断面図
【図６】図３におけるＶＩ−ＶＩ断面図
【図７】図３におけるＶＩＩ−ＶＩＩ断面図
【図８】図３におけるＶＩＩＩ−ＶＩＩＩ断面図
【図９】図３の部分拡大図
【発明を実施するための形態】
【００１１】
包装用容器の実施形態について、図面を参照して説明する。本実施形態では、弁当や惣菜等の食品を被収容物としてその内部に収容する包装用容器（食品包装用容器）１を例として説明する。
【００１２】
なお、以下では、包装用容器１の内部側に向かう方向（外縁側から中央側に向かう方向）を「内方」と言い、包装用容器１の外部側に向かう方向（中央側から外縁側に向かう方向）を「外方」と言う。また、図５〜図８は、包装用容器１の平面図を示す図３におけるＶ−Ｖ断面線、ＶＩ−ＶＩ断面線、ＶＩＩ−ＶＩＩ断面線、及びＶＩＩＩ−ＶＩＩＩ断面線のそれぞれで切断した断面図である。そして、容器本体３の切断部分を分かり易くするため、上記の断面線を、容器本体３の平面図を示す図４においても示している。
【００１３】
図１及び図２に示すように、包装用容器１は、容器本体３と蓋体５とを備えている。包装用容器１は、シート成形によって形成されている。包装用容器１を構成する容器本体３及び蓋体５が、それぞれ、シート成形によって形成されている。
【００１４】
図３に示すように、本実施形態の包装用容器１は、平面視矩形状に形成されている。すなわち、包装用容器１を構成する容器本体３及び蓋体５は平面視矩形状に形成されている。「平面視矩形状」とは、平面視における外形形状が、矩形であること又は全体としておよそ矩形であることを意味する。従って、容器本体３及び蓋体５は、平面視における外形形状が全体としておよそ矩形である限り、四隅のうちの少なくとも一部が面取り状（折線状）又は曲線状等に形成されても良い。本実施形態では、容器本体３及び蓋体５は、平面視長方形状に形成されている。
【００１５】
容器本体３は、４つの本体辺部３Ｓを有している。本実施形態において平面視長方形状の容器本体３は、一対の長辺部３ＳＬと一対の短辺部３ＳＳとを有している。また、蓋体５は、４つの蓋体辺部５Ｓを有している。本実施形態において平面視長方形状の蓋体５は、一対の長辺部５ＳＬと一対の短辺部５ＳＳとを有している。
【００１６】
図１、図２、及び図４に示すように、容器本体３は、底面部３１と、本体周壁部３２と、本体フランジ部３３と、本体スカート部３４と、本体逆テーパー部３５と、本体摘み部３６とを有している。
【００１７】
底面部３１は、容器本体３の底部を構成している。底面部３１は、被収容物たる食品が載置される載置部３１Ａと、載置部３１Ａの周囲に形成された底溝部３１Ｄとを有する。また、底面部３１には、載置部３１Ａから立ち上がる区画壁３８が形成されている。区画壁３８は、底面部３１と本体周壁部３２とによって画定される収容部３７を複数の領域に区画している。本実施形態では、区画壁３８は、主壁部３８Ａと分岐壁部３８Ｂとを含む。主壁部３８Ａは、対向する一対の本体周壁部３２どうし（本例では、一対の短辺部３ＳＳにおける本体周壁部３２どうし）を繋ぐように形成されている。分岐壁部３８Ｂは、主壁部３８Ａから分岐して本体周壁部３２（本例では、各長辺部３ＳＬにおける本体周壁部３２）まで延びるように、計２つ形成されている。
【００１８】
本実施形態では、これらの区画壁３８（主壁部３８Ａ及び２つの分岐壁部３８Ｂ）により、収容部３７が４つの領域に区画されている。より具体的には、収容部３７は、２つの大区画領域と２つの小区画領域とに区画されている。そして、載置部３１Ａにおける２つの大区画領域に、位置決めリブ３１ｂと環状溝３１ｃとが分かれて形成されている。なお、位置決めリブ３１ｂは直線状の突起部として形成されており、複数（図示の例では３つ）の位置決めリブ３１ｂが互いに平行に配置されている。底溝部３１Ｄは、長方形状の容器本体３の四隅に設けられている。この底溝部３１Ｄの存在により、容器本体３の四隅には、当該容器本体３の自立姿勢を安定させるための脚部３９（図５等を参照）が形成されている。
【００１９】
本体周壁部３２は、底面部３１から上方に延びるように形成されている。本体周壁部３２は、上方に向かうに従って外方に傾斜するように形成されている。本体周壁部３２は、底面部３１の周囲を取り囲むように環状に形成されている。本体周壁部３２は、底面部３１と共に、被収容物を収容するための収容部３７を形成している。本実施形態では、本体周壁部３２に、収容部３７側に向かって膨出する膨出部３２Ａが形成されている。膨出部３２Ａは、本体周壁部３２のうち、容器本体３の４つの本体辺部３Ｓにそれぞれ配置されている。膨出部３２Ａは、収容部３７側に向かって膨出することで、本体周壁部３２における他の部位に比べて傾斜が緩くなっている。
【００２０】
本体フランジ部３３は、本体周壁部３２の上端から外側に延びている。本体フランジ部３３は、外方に向かうに従ってやや上方に傾斜するように形成されている。また、本実施形態の本体フランジ部３３は、側面視で一直線状に形成されるのではなく、側面視で異形に形成されている。各本体辺部３Ｓにおいて、本体フランジ部３３は、第一地点Ｐ１において下向きに凸となり、かつ、底面部３１からの高さが第一地点Ｐ１よりも高い第二地点Ｐ２において上向きに凸となるように、湾曲して形成されている。言い換えれば、本体フランジ部３３は、第一地点Ｐ１を含む所定領域に設けられた下向き湾曲部３３Ａと、第二地点Ｐ２を含む所定領域に設けられた上向き湾曲部３３Ｂとを含む。なお、「底面部３１からの高さ」とは、底面部３１のうちの最低点である底溝部３１Ｄからの高さであり、容器本体３を支持台上に置いたときの支持台表面からの高さに実質的に等しい。
【００２１】
本実施形態では、各本体辺部３Ｓの中央に第一地点Ｐ１が設けられるとともに、その両側に第二地点Ｐ２がそれぞれ設けられている。言い換えれば、各本体辺部３Ｓの本体フランジ部３３は、中央に設けられた１つの下向き湾曲部３３Ａと、その両側に分かれて設けられた計２つの上向き湾曲部３３Ｂとを含んでいる。そして、各本体辺部３Ｓの本体フランジ部３３は、全体として、横から見て（正面視又は側面視で）湾曲した扁平なＭ字状を呈している。本実施形態の本体フランジ部３３は、その下端面部（本体フランジ下端面部）も湾曲している。このようにすることで、本体フランジ部３３が不必要に厚みを増すことがなく、かつ、流線状のデザインを実現でき、全体のデザイン性を高めることができる。なお、上述した膨出部３２Ａは、本体周壁部３２のうち、各本体辺部３Ｓにおける２つの第二地点Ｐ２どうしの間の領域に形成されている。
【００２２】
本実施形態では、第二地点Ｐ２における曲率（上向き湾曲部３３Ｂの曲率）が、第一地点Ｐ１における曲率（下向き湾曲部３３Ａの曲率）よりも大きく設定されている。上向き湾曲部３３Ｂの曲率は、下向き湾曲部３３Ａの曲率に比べて、例えば２倍〜２０倍程度であって良い。また、第二地点Ｐ２における底面部３１からの高さ（上向き湾曲部３３Ｂの最高点の高さ）Ｈ２は、第一地点Ｐ１における底面部３１からの高さ（下向き湾曲部３３Ａの最低点の高さ）Ｈ１に比べて、例えば１．２倍〜２．５倍程度であって良い。
【００２３】
本体フランジ部３３は、容器本体３の四隅に設けられた幅広隅部３３Ｘを含む。幅広隅部３３Ｘは、長辺部３ＳＬと短辺部３ＳＳとの接続部位が平面視で面取り状となることによって形成されている。幅広隅部３３Ｘは、“面取り状隅部”と称することもできる。本実施形態では、２つの上向き湾曲部３３Ｂにおける下向き湾曲部３３Ａとは反対側の麓部分は平坦に形成されており（図１及び図２を参照）、当該平坦部３３Ｃの端部が、幅広隅部３３Ｘなっている。この幅広隅部３３Ｘの高さは、第一地点Ｐ１における底面部３１からの高さＨ１と同じとなっている。
【００２４】
本体スカート部３４は、本体フランジ部３３よりも周縁側において下方に延びている。具体的には、本体スカート部３４は、本体フランジ部３３の外側端部から下方に延びている。本体スカート部３４は、容器本体３の全周に亘って形成されている。本体スカート部３４は、外方に向かうに従って下方に傾斜する傾斜壁部３４Ａと、傾斜せずにまっすぐに垂下する垂下壁部３４Ｂとを有している。この垂下壁部３４Ｂは、傾斜壁部３４Ａの下端部から垂下しており、本体フランジ部３３よりも周縁側に配置されている。
【００２５】
本体スカート部３４は、本体フランジ部３３の湾曲形状に沿って湾曲する湾曲帯状に形成されている。本体スカート部３４は、第一地点Ｐ１において下向きに凸となり、かつ、第二地点Ｐ２において上向きに凸となる湾曲帯状に形成されている。より具体的には、本体スカート部３４は、横から見て（正面視又は側面視で）、各本体辺部３Ｓの中央において下向きに凸となり、かつ、その両側においてそれぞれ上向きに凸となる湾曲した扁平なＭ字状を呈する湾曲帯状に形成されている。本体スカート部３４は、その上端部（本体スカート上端部）及び下端部（本体スカート下端部）の両方が、各本体辺部３Ｓの中央において下向きに凸となり、かつ、その両側においてそれぞれ上向きに凸となるように湾曲している。このようにすることで、本体フランジ部３３及び本体スカート部３４が不必要に厚みを増すことがなく、かつ、動的な美感を創出する流線状のデザインを実現でき、全体のデザイン性を高めることができる。各本体辺部３Ｓにおいて、本体スカート部３４の両端部は直線状に延びている。
【００２６】
また、図４に示すように、本体スカート部３４は、開蓋領域１１において、平面視で内向きに湾曲するように形成されている。容器本体３の四隅に位置する開蓋領域１１において、本体スカート部３４は、容器本体３の中心に向かって凹むように湾曲形成されている。言い換えれば、本実施形態の本体スカート部３４は、四隅の開蓋領域１１において容器本体３の中心に向かって凹む内向き湾曲スカート部３４Ｃを有している。
【００２７】
本体スカート部３４（具体的には、垂下壁部３４Ｂ）に、本体逆テーパー部３５が設けられている。本体逆テーパー部３５は、下方に向かうに従って内方に傾斜するように形成されている。本実施形態の本体逆テーパー部３５は、垂下壁部３４Ｂに形成された凹溝部の傾斜内壁で構成されている。図１、図２、及び図４に示すように、本体逆テーパー部３５は、湾曲帯状の本体スカート部３４に、全周に亘って連続して設けられている。
【００２８】
本体摘み部３６は、本体フランジ部３３よりも外側に突出する突出片で構成されている。本体摘み部３６は、開蓋操作時に蓋体摘み部５６と共に摘まれる部位となる。図４に示すように、本体摘み部３６は、矩形状（長方形状）の容器本体３の四隅に設けられている。本体摘み部３６は、本体フランジ部３３の幅広隅部３３Ｘに対応する位置に、平面視三角形状に形成されている。本体摘み部３６は、本体スカート部３４の下端から水平方向に沿って外側に延びている。図５に示すように、本実施形態の本体摘み部３６は、平面状に形成された本体摘み面部３６Ａと、この本体摘み面部３６Ａから上方に突出する上方突起部３６Ｂとを有している。
【００２９】
図１〜図３に示すように、蓋体５は、天面部５１と、蓋体周壁部５２と、蓋体フランジ部５３と、蓋体スカート部５４と、蓋体逆テーパー部５５と、蓋体摘み部５６とを有している。
【００３０】
天面部５１は、蓋体５の天井部を構成している。天面部５１は、平坦面に形成されている。
【００３１】
蓋体周壁部５２は、天面部５１から下方に延びるように形成されている。蓋体周壁部５２は、下方に向かうに従って外方に傾斜するように形成されている。蓋体周壁部５２は、天面部５１の周囲を取り囲むように環状に形成されている。本実施形態では、蓋体周壁部５２に、内向きに凹む周壁凹部５２Ａが形成されている。周壁凹部５２Ａは、周方向に分散して設けられている。本実施形態では、周壁凹部５２Ａは、四隅と、各蓋体辺部５Ｓの中央とに、計８つ設けられている。周壁凹部５２Ａは、下方に向かって拡開するように形成されている。このようにすることで、単一の幅からなる凸部や凹部を設ける場合に比べて、耐荷重性を高めることができる。よって、蓋体５を容器本体３に手で押さえつけて嵌合させる際の蓋体周壁部５２の撓みを抑制することができるとともに、蓋体５を容器本体３から開蓋する際の蓋体周壁部５２の変形を抑制することができる。
【００３２】
蓋体フランジ部５３は、蓋体周壁部５２の下端から外側に延びている。蓋体フランジ部５３は、外方に向かうに従ってやや上方に傾斜するように形成されている。また、本実施形態の蓋体フランジ部５３は、本体フランジ部３３に対応する湾曲形状に形成されている。すなわち、蓋体フランジ部５３は、第一地点Ｐ１において下向きに凸となり、かつ、第二地点Ｐ２において上向きに凸となるように、湾曲して形成されている。言い換えれば、蓋体フランジ部５３は、第一地点Ｐ１を含む所定領域に設けられた下向き湾曲部５３Ａと、第二地点Ｐ２を含む所定領域に設けられた上向き湾曲部５３Ｂとを含む。
【００３３】
本実施形態では、各蓋体辺部５Ｓの中央に第一地点Ｐ１が設けられるとともに、その両側に第二地点Ｐ２がそれぞれ設けられている。言い換えれば、各蓋体辺部５Ｓの蓋体フランジ部５３は、中央に設けられた１つの下向き湾曲部５３Ａと、その両側に分かれて設けられた計２つの上向き湾曲部５３Ｂとを含んでいる。そして、各蓋体辺部５Ｓの蓋体フランジ部５３は、全体として、横から見て（正面視又は側面視で）湾曲した扁平なＭ字状を呈している。本実施形態の蓋体フランジ部５３は、その下端面部（蓋体フランジ下端面部）も湾曲している。このようにすることで、蓋体フランジ部５３が不必要に厚みを増すことがなく、かつ、流線状のデザインを実現でき、全体のデザイン性を高めることができる。本実施形態では、第二地点Ｐ２における曲率（上向き湾曲部５３Ｂの曲率）が、第一地点Ｐ１における曲率（下向き湾曲部５３Ａの曲率）よりも大きく設定されている。
【００３４】
蓋体フランジ部５３は、蓋体５の四隅に設けられた幅広隅部５３Ｘを含む。幅広隅部５３Ｘは、長辺部５ＳＬと短辺部５ＳＳとの接続部位が平面視で面取り状となることによって形成されている。幅広隅部５３Ｘは、“面取り状隅部”と称することもできる。本実施形態では、２つの上向き湾曲部５３Ｂにおける下向き湾曲部５３Ａとは反対側の麓部分は平坦に形成されており、当該平坦部５３Ｃの端部が、幅広隅部５３Ｘとなっている。この幅広隅部５３Ｘの高さは、第一地点Ｐ１における高さと同じとなっている。
【００３５】
蓋体フランジ部５３は、閉蓋状態で、本体フランジ部３３に重ね合わされる。蓋体フランジ部５３の上向き湾曲部５３Ｂが本体フランジ部３３の上向き湾曲部３３Ｂに重ね合わされ、蓋体フランジ部５３の下向き湾曲部５３Ａが本体フランジ部３３の下向き湾曲部５３Ａに重ね合わされる。また、蓋体フランジ部５３の幅広隅部５３Ｘが本体フランジ部３３の幅広隅部３３Ｘに重ね合わされる。
【００３６】
蓋体スカート部５４は、蓋体フランジ部５３よりも周縁側において下方に延びている。具体的には、蓋体スカート部５４は、蓋体フランジ部５３の外側端部から下方に延びている。蓋体スカート部５４は、蓋体５の全周に亘って形成されている。蓋体スカート部５４は、外方に向かうに従って下方に傾斜する傾斜壁部５４Ａと、傾斜せずにまっすぐに垂下する垂下壁部５４Ｂとを有している。この垂下壁部５４Ｂは、傾斜壁部５４Ａの下端部から垂下しており、蓋体フランジ部５３よりも周縁側に配置されている。
【００３７】
蓋体スカート部５４は、蓋体フランジ部５３の湾曲形状に沿って湾曲する湾曲帯状に形成されている。蓋体スカート部５４は、第一地点Ｐ１において下向きに凸となり、かつ、第二地点Ｐ２において上向きに凸となる湾曲帯状に形成されている。より具体的には、蓋体スカート部５４は、横から見て（正面視又は側面視で）、各蓋体辺部５Ｓの中央において下向きに凸となり、かつ、その両側においてそれぞれ上向きに凸となる湾曲した扁平なＭ字状を呈する湾曲帯状に形成されている。蓋体スカート部５４は、その上端部（蓋体スカート上端部）及び下端部（蓋体スカート下端部）の両方が、各蓋体辺部５Ｓの中央において下向きに凸となり、かつ、その両側においてそれぞれ上向きに凸となるように湾曲している。このようにすることで、蓋体フランジ部５３及び蓋体スカート部５４が不必要に厚みを増すことがなく、かつ、動的な美感を創出する流線状のデザインを実現でき、全体のデザイン性を高めることができる。各蓋体辺部５Ｓにおいて、蓋体スカート部５４の両端部は直線状に延びている。
【００３８】
また、図３及び図９に示すように、蓋体スカート部５４は、開蓋領域１１において、本体スカート部３４の形状に応じて、平面視で内向きに湾曲するように形成されている。蓋体５の四隅に位置する開蓋領域１１において、蓋体スカート部５４は、蓋体５の中心に向かって凹むように湾曲形成されている。言い換えれば、本実施形態の蓋体スカート部５４は、四隅の開蓋領域１１において蓋体５の中心に向かって凹む内向き湾曲スカート部５４Ｃを有している。
【００３９】
蓋体スカート部５４（具体的には、垂下壁部５４Ｂ）に、蓋体逆テーパー部５５が設けられている。蓋体逆テーパー部５５は、蓋体スカート部５４の複数箇所に設けられている。蓋体逆テーパー部５５は、下方に向かうに従って内方に傾斜するように形成されている。図１〜図３に示すように、本実施形態の蓋体逆テーパー部５５は、湾曲帯状の蓋体スカート部５４に周方向に断続的に設けられている。また、蓋体逆テーパー部５５は、垂下壁部５４Ｂに断続的に形成された、直線状又は緩やかに湾曲した凸部（線状突起５４Ｄ）の傾斜壁で構成されている。蓋体逆テーパー部５５は、外方から本体逆テーパー部３５に係合する。
【００４０】
図３に示すように、蓋体逆テーパー部５５は、少なくとも開蓋領域１１に設けられている。また、蓋体逆テーパー部５５は、容器外周における開蓋領域１１以外の領域において、４つの蓋体辺部５Ｓのうちの少なくとも１つの中間部に独立して設けられている。また、蓋体逆テーパー部５５は、容器外周における開蓋領域１１以外の領域において、４つの蓋体辺部５Ｓのうちの少なくとも１つの両端部にも独立して設けられている。本実施形態では、４つの蓋体辺部５Ｓの全てにおいて、両端部と中間部とに独立して、蓋体逆テーパー部５５が設けられている。
【００４１】
ここで、各蓋体辺部５Ｓの中間部は、蓋体フランジ部５３の下向き湾曲部５３Ａが設けられた第一地点Ｐ１であり、蓋体逆テーパー部５５は、蓋体スカート部５４における第一地点Ｐ１に対応する位置に設けられていることになる。この各蓋体辺部５Ｓの中間部（第一地点Ｐ１に対応する位置）に設けられる蓋体逆テーパー部５５は、蓋体フランジ部５３の第一地点Ｐ１における曲率に応じて、緩やかに湾曲して形成されている。
【００４２】
また、本実施形態では、各蓋体辺部５Ｓの中間部（第一地点Ｐ１に対応する位置）に設けられる蓋体逆テーパー部５５の周方向に沿う長さを、長辺部５ＳＬと短辺部５ＳＳとで異ならせている（図１及び図２を参照）。具体的には、長辺部５ＳＬの中間部に設けられる蓋体逆テーパー部５５の長さが、短辺部５ＳＳの中間部に設けられる蓋体逆テーパー部５５の長さよりも長く設定されている。
【００４３】
なお、蓋体逆テーパー部５５は、各蓋体辺部５Ｓにおける第二地点Ｐ２に対応する位置（上向き湾曲部５３Ｂの位置）には設けられていない（図８も参照）。
【００４４】
各蓋体辺部５Ｓの両端部は、蓋体フランジ部５３の平坦部５３Ｃ（幅広隅部５３Ｘ）が設けられた部位であり、蓋体逆テーパー部５５は、蓋体スカート部５４における直線状部分に設けられていることになる。蓋体逆テーパー部５５は、直線状に形成されている。
【００４５】
蓋体摘み部５６は、蓋体フランジ部５３よりも外側に突出する突出片で構成されている。蓋体摘み部５６は、開蓋操作時に本体摘み部３６と共に摘まれる部位となる。図３に示すように、蓋体摘み部５６は、矩形状（長方形状）の蓋体５の四隅に設けられている。蓋体摘み部５６は、蓋体フランジ部５３の幅広隅部５３Ｘに対応する位置に設けられている。蓋体摘み部５６は、平面視三角形状に形成されている。蓋体摘み部５６は、蓋体スカート部５４の下端から水平方向に沿って外側に延びている。図５に示すように、本実施形態の蓋体摘み部５６は、平面状に形成された蓋体摘み面部５６Ａと、この蓋体摘み面部５６Ａから下方に突出する下方突起部５６Ｂとを有している。
【００４６】
図３に示すように、容器本体３から蓋体５を取り外す際の起点となる開蓋領域１１が、容器外周に設けられている。開蓋領域１１は、容器外周の複数箇所に設けられている。本実施形態では、矩形状（長方形状）の容器本体３及び蓋体５の四隅の全てが、開蓋領域１１とされている。そして、その開蓋領域１１において、本体摘み部３６と蓋体摘み部５６とが重ね合わされて対応している。ここで、「重ね合わされて対応する」とは、本体摘み部３６と蓋体摘み部５６とが必ずしも隙間なく当接して重ね合わされるものだけでなく、僅かな隙間や数ｍｍ程度の空間を形成しつつ重ね合わされて対応するものを含む。また、一部の領域が隙間なく当接して重ね合わされるとともに他の領域が僅かな隙間等を形成しつつ重ね合わされて対応するものも含む。
【００４７】
本実施形態では、本体摘み部３６と蓋体摘み部５６とが重ね合わされた状態では、図５に示すように、本体摘み部３６の上方突起部３６Ｂと蓋体摘み部５６の下方突起部５６Ｂとによって、本体摘み面部３６Ａと蓋体摘み面部５６Ａとの間に隙間が生じる。これにより、開蓋の際に蓋体摘み部５６を摘みやすくなっている。
【００４８】
本体逆テーパー部３５と蓋体逆テーパー部５５とが係合して、逆テーパー係合部１５が構成されている。逆テーパー係合部１５では、蓋体逆テーパー部５５が本体逆テーパー部３５に対して外側から当接して係合している。そして、このように当接し合う蓋体逆テーパー部５５及び本体逆テーパー部３５は、上述したように、下方に向かうに従って内方に傾斜するように形成されている。このため、逆テーパー係合部１５も、同様に、下方に向かうに従って内方に傾斜している。このような逆テーパー係合部１５を備えることで、蓋体５は、容器本体３から外れにくくなっており、強固な嵌合が確保されている。鉛直線に対する逆テーパー係合部１５の傾きθ（図５及び図７を参照）は、例えば３０°〜９０°であると好適である。
【００４９】
上述したように、本実施形態では、本体逆テーパー部３５は、全周に亘って設けられている。また、蓋体逆テーパー部５５は、開蓋領域１１に設けられているとともに、開蓋領域１１以外の領域では、各蓋体辺部５Ｓの中間部と両端部とに独立して設けられている。従って、本体逆テーパー部３５と蓋体逆テーパー部５５とが係合してなる逆テーパー係合部１５は、開蓋領域１１に設けられているとともに、各蓋体辺部５Ｓの中間部と両端部とに独立して設けられている。
【００５０】
また、逆テーパー係合部１５は、本体フランジ部３３との関係では、幅広隅部３３Ｘを含む平坦部３３Ｃに対応する位置と、下向き湾曲部３３Ａに対応する位置とに設けられている。蓋体フランジ部５３との関係でも同様であり、逆テーパー係合部１５は、幅広隅部５３Ｘを含む平坦部５３Ｃに対応する位置と、下向き湾曲部５３Ａに対応する位置とに設けられている。一方、逆テーパー係合部１５は、本体フランジ部３３の上向き湾曲部３３Ｂ及び蓋体フランジ部５３の上向き湾曲部５３Ｂに対応する位置には設けられていない。
【００５１】
このように、本体逆テーパー部３５と蓋体逆テーパー部５５とが係合してなる逆テーパー係合部１５が、全周に亘ってではなく周方向に断続的に設けられるので、強固な嵌合を確保しつつ、その嵌合力が過度に強固となることがない。さらには、曲率が相対的に小さい第一地点Ｐ１（下向き湾曲部３３Ａ，５３Ａ）に逆テーパー係合部１５が設けられることで、適度に強固な嵌合を確保することができる。その際、本体逆テーパー部３５を全周に亘って形成し、蓋体逆テーパー部５５だけを断続的に形成することで、蓋体逆テーパー部５５の形成位置の調整によって逆テーパー係合部１５の設置位置を容易に調整することができる。
【００５２】
さらに本実施形態では、開蓋領域１１において、逆テーパー係合部１５の係合深さが、当該開蓋領域１１中の本体スカート部３４及び蓋体スカート部５４が湾曲する部位（すなわち、内向き湾曲スカート部３４Ｃ，５４Ｃ）の位置に応じて異なっている。本実施形態では、本体逆テーパー部３５が容器本体３の全周に亘って一律に形成されている一方、開蓋領域１１の蓋体逆テーパー部５５（線状突起５４Ｄ）は、内向きの突出量が開蓋領域１１中の内向き湾曲スカート部５４Ｃの位置に応じて異なるように形成されている。これにより、本体逆テーパー部３５と蓋体逆テーパー部５５とが係合してなる逆テーパー係合部１５の係合深さが、開蓋領域１１中の内向き湾曲スカート部３４Ｃ，５４Ｃの位置に応じて異なっている。
【００５３】
より具体的には、図９に示すように、蓋体逆テーパー部５５（線状突起５４Ｄ）の内向きの突出量は、湾曲する部位（内向き湾曲スカート部５４Ｃ）の中央部に比べて両端部において大きくなっている。蓋体逆テーパー部５５の内向きの突出量は、内向き湾曲スカート部５４Ｃの中央部においてゼロであり、中央部から両端部に到るまでの位置にある２箇所の中間点に向かうに従って次第に大きくなっている。そして、蓋体逆テーパー部５５の内向きの突出量は、２箇所の中間点において最大となり、その後、中間点から両端部に向かうに従って次第に小さくなっている。
【００５４】
こうして、開蓋領域１１中の内向き湾曲スカート部３４Ｃ，５４Ｃにおける逆テーパー係合部１５の係合深さは、内向き湾曲スカート部３４Ｃ，５４Ｃの中央部においてゼロであり、中央部から両端部に到るまでの位置にある中間点に向かうに従って次第に深くなり、中間点から両端部に向かうに従って次第に浅くなるように構成されている。また、開蓋領域１１の逆テーパー係合部１５は、本実施形態において係合深さがゼロとなっている中央部を包含する平面に対して、面対称に形成されている。
【００５５】
また、本実施形態では、開蓋領域１１に対して両隣に位置する（言い換えれば、各蓋体辺部５Ｓの両端部の）逆テーパー係合部１５の係合深さは、開蓋領域１１からの離間距離に応じて異なっている。より具体的には、図９に示すように、開蓋領域１１の両隣の蓋体逆テーパー部５５（線状突起５４Ｄ）の内向きの突出量は、開蓋領域１１側の端部で最大であり、開蓋領域１１から離れるに従って次第に小さくなっている。開蓋領域１１中及びその両隣の逆テーパー係合部１５は、それら全体としても、内向き湾曲スカート部３４Ｃ，５４Ｃの中央部を包含する平面に対して面対称に形成されている。
【００５６】
本実施形態の包装用容器１においては、四隅近傍において、逆テーパー係合部１５の係合深さを開蓋領域１１中の内向き湾曲スカート部３４Ｃ，５４Ｃの位置や、開蓋領域１１からの離間距離に応じて異ならせることで、容器本体３と蓋体５との嵌合力の調整を容易に行うことができる。
【００５７】
なお、各蓋体辺部５Ｓの中間部（下向き湾曲部５３Ａの位置）に設けられる蓋体逆テーパー部５５（線状突起５４Ｄ）の内向きの突出量は、その位置によらずに一定である。すなわち、容器本体３及び蓋体５の各辺の中間部にそれぞれ設けられる逆テーパー係合部１５の係合深さは、位置によらずに一定となっている。なお、ここで言う「一定」とは、各逆テーパー係合部１５における両端部を除く概ね全体を占める領域において係合深さが一定であることを意味する。従って、例えば各逆テーパー係合部１５における両端部においては、微小な範囲で、係合深さが急傾斜で変化することが許容される。
【００５８】
また、本体フランジ部３３及び蓋体フランジ部５３が、各辺部３Ｓ，５Ｓの中央において相対的に小さい曲率で下向きに凸となり、かつ、その両側において相対的に大きい曲率で上向きに凸となる、特徴的な湾曲形状に形成されている。さらに、本体スカート部３４及び蓋体スカート部５４も、横から見て、本体フランジ部３３及び蓋体フランジ部５３の湾曲形状に応じた、特徴的な湾曲帯状に形成されている。これらの特徴的な湾曲形状により、容器本体３及び蓋体５の外周部に動的な美感が生じており、デザイン性の向上が図られている。よって、被収容物を収容した状態で、例えばスーパーやコンビニ等の店舗において見栄え良く陳列することができ、消費者への訴求力を高めることができる。
【００５９】
さらに、店舗において、容器本体３に被収容物を収容した後、蓋体５を閉める際に生じる嵌合音（「パチン」という音）により、しっかりと閉蓋できたことを容易に確認することができる。また、しっかりと閉蓋されることにより、店舗での陳列中に異物混入等の悪戯を受けにくかったり意図せず手指が入りにくかったりするという、副次的な効果を奏する。
【００６０】
〔その他の実施形態〕
（１）上記の実施形態では、開蓋領域１１中の内向き湾曲スカート部３４Ｃ，５４Ｃにおける逆テーパー係合部１５の係合深さが、中央部に比べて両端部において深い構成を例として説明した。しかし、そのような構成に限定されることなく、開蓋領域１１中の内向き湾曲スカート部３４Ｃ，５４Ｃにおける逆テーパー係合部１５の係合深さが、例えば両端部に比べて中央部において深く形成されても良い。
【００６１】
（２）上記の実施形態では、開蓋領域１１中の内向き湾曲スカート部３４Ｃ，５４Ｃにおける逆テーパー係合部１５の係合深さが、中央部から両端部に到るまでの位置にある２箇所の中間点において最大となる構成を例として説明した。しかし、そのような構成に限定されることなく、開蓋領域１１中の内向き湾曲スカート部３４Ｃ，５４Ｃにおける逆テーパー係合部１５の係合深さが、中央部から両端部に向かうに従って次第に変化するように形成されても良い。
【００６２】
（３）上記の実施形態では、各本体辺部３Ｓの本体フランジ部３３が、中央に設けられた１つの下向き湾曲部３３Ａと、その両側に分かれて設けられた計２つの上向き湾曲部３３Ｂとを含む構成を例として説明した。しかし、そのような構成に限定されることなく、例えば各本体辺部３Ｓの本体フランジ部３３が、２つの下向き湾曲部３３Ａと３つの上向き湾曲部３３Ｂとを含んで構成されても良い。或いは、各本体辺部３Ｓの本体フランジ部３３が、１つの上向き湾曲部３３Ｂと２つの下向き湾曲部３３Ａとを含んで構成されても良い。これら以外にも、各本体辺部３Ｓにおける下向き湾曲部３３Ａ及び上向き湾曲部３３Ｂのそれぞれの個数は任意に設定することができる。この場合において、下向き湾曲部３３Ａ及び上向き湾曲部３３Ｂの個数を、長辺部３ＳＬ，５ＳＬと短辺部３ＳＳ，５ＳＳとで異ならせても良い。
【００６３】
（４）或いは、各本体辺部３Ｓの本体フランジ部３３の全体が、上向きに凸となるように湾曲して形成されても良いし、下向きに凸（＝上向きに凹）となるように湾曲して形成されても良い。さらに、各本体辺部３Ｓの本体フランジ部３３の全体が、一直線状に形成されても良い。
【００６４】
（５）上記の実施形態では、第二地点Ｐ２における曲率（上向き湾曲部３３Ｂ，５３Ｂの曲率）が、第一地点Ｐ１における曲率（下向き湾曲部３３Ａ，５３Ａの曲率）よりも大きく設定された構成を例として説明した。しかし、そのような構成に限定されることなく、例えば第一地点Ｐ１における曲率（下向き湾曲部３３Ａ，５３Ａの曲率）が、第二地点Ｐ２における曲率（上向き湾曲部３３Ｂ，５３Ｂの曲率）よりも大きく設定されても良い。このような場合には、曲率が小さい方の上向き湾曲部３３Ｂ，５３Ｂに対応する位置に、蓋体逆テーパー部５５が設けられても良い。或いは、第一地点Ｐ１における曲率（下向き湾曲部３３Ａ，５３Ａの曲率）と、第二地点Ｐ２における曲率（上向き湾曲部３３Ｂ，５３Ｂの曲率）とが等しく設定されても良い。
【００６５】
（６）上記の実施形態において、第一地点Ｐ１における曲率（下向き湾曲部３３Ａ，５３Ａの曲率）が“０（ゼロ）”であっても良い。この場合、下向き湾曲部３３Ａ，５３Ａは、水平面に沿う直線状に形成される。かかる構成では、それらの直線状の下向き湾曲部３３Ａ，５３Ａは、全体として「下向きに凸」となっているとみなすこととする。
【００６６】
（７）上記の実施形態では、各蓋体辺部５Ｓの中間部（第一地点Ｐ１に対応する位置）に設けられる蓋体逆テーパー部５５が緩やかに湾曲して形成されている構成を例として説明した。しかし、そのような構成に限定されることなく、各蓋体辺部５Ｓの中間部に設けられる蓋体逆テーパー部５５が、例えばＶ字状や２箇所屈曲形状等の折線状に形成されても良い。或いは、全ての蓋体逆テーパー部５５が、直線状に形成されても良い。
【００６７】
（８）上記の実施形態では、長辺部５ＳＬの中間部に設けられる蓋体逆テーパー部５５の長さが、短辺部５ＳＳの中間部に設けられる蓋体逆テーパー部５５の長さよりも長く設定されている構成を例として説明した。しかし、そのような構成に限定されることなく、例えば各蓋体辺部５Ｓの中間部に設けられる蓋体逆テーパー部５５の周方向に沿う長さが、長辺部５ＳＬと短辺部５ＳＳとで同一に設定されても良い。
【００６８】
（９）上記の実施形態では、蓋体逆テーパー部５５が、開蓋領域１１に設けられているとともに、各蓋体辺部５Ｓの中間部と両端部とに独立して設けられている構成を例として説明した。しかし、そのような構成に限定されることなく、例えば蓋体逆テーパー部５５が、開蓋領域１１に設けられているとともに、各蓋体辺部５Ｓの中間部だけに独立して設けられても良い。また、例えば蓋体逆テーパー部５５が、開蓋領域１１には設けられずに、各蓋体辺部５Ｓだけに設けられても良い。さらに、短辺部５ＳＳにはその中間部だけに逆テーパー係合部１５が設けられ、長辺部５ＳＬにはその中間部と両端部とに逆テーパー係合部１５が設けられる等、長辺部５ＳＬと短辺部５ＳＳとで、逆テーパー係合部１５の設置位置が異なっても良い。
【００６９】
（１０）上記の実施形態では、区画壁３８が主壁部３８Ａと分岐壁部３８Ｂとを含み、主壁部３８Ａが対向する一対の本体周壁部３２どうしを繋ぎ、分岐壁部３８Ｂが主壁部３８Ａから分岐して本体周壁部３２まで延びる構成を例として説明した。しかし、そのような構成に限定されることなく、区画壁３８が分岐壁部３８Ｂを含まずに主壁部３８Ａだけで構成されても良い。また、区画壁３８が、主壁部３８Ａと分岐壁部３８Ｂとに加え、分岐壁部３８Ｂからさらに分岐して本体周壁部３２まで延びる第２の分岐壁部を含んで構成されても良い。これら以外にも、区画壁３８の形成態様は適宜変更されて良い。
【００７０】
（１１）上記の実施形態では、容器本体３及び蓋体５が平面視長方形状に形成されている構成を例として説明した。しかし、そのような構成に限定されることなく、容器本体３及び蓋体５の平面視形状は、例えば正方形状や平行四辺形状、台形状等の他の矩形状であっても良い。
【００７１】
（１２）上述した各実施形態（上記の実施形態及びその他の実施形態を含む；以下同様）で開示される構成は、矛盾が生じない限り、他の実施形態で開示される構成と組み合わせて適用することも可能である。その他の構成に関しても、本明細書において開示された実施形態は全ての点で例示であって、本開示の趣旨を逸脱しない範囲内で適宜改変することが可能である。
【符号の説明】
【００７２】
１        包装用容器
３        容器本体
５        蓋体
１１      開蓋領域
１５      逆テーパー係合部
３１      底面部
３２      本体周壁部
３３      本体フランジ部
３４      本体スカート部
３４Ｃ    内向き湾曲スカート部
３５      本体逆テーパー部
３６      本体摘み部
５１      天面部
５２      蓋体周壁部
５３      蓋体フランジ部
５４      蓋体スカート部
５４Ｃ    内向き湾曲スカート部
５５      蓋体逆テーパー部
５６      蓋体摘み部
【図１】
2020196526.tif 000003
【図２】
2020196526.tif 000004
【図３】
2020196526.tif 000005
【図４】
2020196526.tif 000006
【図５】
2020196526.tif 000007
【図６】
2020196526.tif 000008
【図７】
2020196526.tif 000009
【図８】
2020196526.tif 000010
【図９】
2020196526.tif 000011